(57)【要約】【課題】専用のプラントを建設せずに、転炉スラグの事前処理を行うことができる処理設備を提供する。【解決手段】本発明に係るスクラップ及び転炉スラグの処理設備は、処理対象物を破砕する破砕機と、破砕機によって破砕された処理対象物を風力によって軽量物と重量物に選別する風力選別機と、風力選別機によって選別された重量物を鉄と非鉄に選別する磁気選別機と、を有するスクラップ処理設備を用いて、転炉スラグの破砕および乾燥を行う。【選択図】図３
2016079417.tif 000002
【特許請求の範囲】
【請求項１】
処理対象物を破砕する破砕機と、破砕機によって破砕された処理対象物を風力によって軽量物と重量物に選別する風力選別機と、風力選別機によって選別された重量物を鉄と非鉄に選別する磁気選別機と、処理対象物の乾燥を行う乾燥機を有し、
鉄を含むスクラップから鉄を選別するスクラップ処理と、転炉スラグの破砕および乾燥を行う転炉スラグ処理とを切り替えて使用可能なスクラップ及び転炉スラグの処理設備。
【請求項２】
処理対象物を破砕する破砕機と、破砕機によって破砕された処理対象物を風力によって軽量物と重量物に選別する風力選別機と、風力選別機によって選別された重量物を鉄と非鉄に選別する磁気選別機と、処理対象物の乾燥を行う乾燥機を有するスクラップ処理設備を用いて、
鉄を含むスクラップから鉄を選別するスクラップ処理と、転炉スラグの破砕および乾燥を行う転炉スラグ処理とを切替えて行うスクラップ及び転炉スラグの処理方法。
【発明の詳細な説明】
【技術分野】
【０００１】
本発明は、転炉スラグを製鋼原料として再利用するために必要となる事前処理を行うスクラップ及び転炉スラグの処理設備および処理方法に関する。
【背景技術】
【０００２】
転炉の脱C処理で発生する転炉スラグは、生石灰（CaO）を含んでいる。転炉スラグに含まれる生石灰（CaO）は、完全に水和されたCa(OH)2の状態になっておらず、固まる際に膨張してしまうため、舗装材等に再利用することができない。
【０００３】
このような転炉スラグは、製鋼原料として利用するニーズがある。具体的には、転炉スラグに含有される石灰（CaO）成分を、溶銑脱Siまたは溶銑脱Pに必要な副原料として利用することができる。溶銑へ転炉スラグの吹込み（インジェクション）や投射を行うことで、効率よく脱Siまたは脱P反応を促進させることができる（特許文献１等）。
【０００４】
転炉スラグを吹込み、または投射するためには、転炉スラグが粉体状であり、かつ乾燥していることが必要となる。しかしながら、転炉スラグは、発生後、屋外に山積みされるのが一般的であり、雨天であれば湿潤となり、また、長期保管すれば一部塊状となる。
【０００５】
そのため、吹込みまたは投射をするためには、転炉スラグを破砕させて乾燥させる事前処理を行う必要がある。
【先行技術文献】
【特許文献】
【０００６】
【特許文献１】特開２０１１−１３７１９６号公報
【発明の概要】
【発明が解決しようとする課題】
【０００７】
転炉スラグの事前処理を行う設備としては、竪型ローラミル、横型ハンマーミル、または横型ケージミルといった粉砕設備の内部に、加熱した気体を通気させて、破砕および乾燥を行う設備と、この破砕および乾燥を行う設備の前段または後段に設けられた乾燥設備によって構成された処理設備を用いるのが一般的である。
【０００８】
図１に、一般的な転炉スラグ処理設備を示す。この処理設備は、処理対象物２０である転炉スラグを、エプロンコンベア２１によって破砕乾燥機２２の上方から投入し、破砕乾燥機２２により粉状に粉砕する。破砕乾燥機２２には、エアヒータ２４から加熱した空気が通気されており（Ｔ３）、破砕乾燥機２２によって粉砕と共に乾燥を行っている。図１の例では、破砕乾燥機２２として、乾燥した空気が供給される竪型ローラミルが示されている。
【０００９】
破砕乾燥機２２によって粉砕された粉状の転炉スラグは、破砕乾燥機２２の下方から排出され、貯蔵設備２５において貯蔵される。また、破砕乾燥機２２で発生した粉塵は、破砕乾燥機２２の上方から回収され、バグフィルタ式集塵機２３に送られる（Ｔ１）。バグフィルタ式集塵機２３は、粉塵回収後の空気（排気）を、ブロアを介してエアヒータ２４に送る（Ｔ２）。
【００１０】
転炉スラグは、上述のような処理を経ることで、粉状に粉砕され、処理設備に投入前の水分が６質量％程度だったものが、貯蔵設備２５においては、０．５質量％程度まで乾燥される。貯蔵設備２５からの排気は、エアヒーター２４に送られ再利用される（Ｔ４）。
【００１１】
ここで、転炉スラグの処理設備を、専用のプラントとして建設する場合には、費用が高額になるという問題がある。
【００１２】
本発明は、このような問題点に対してなされたものであり、専用のプラントを建設せずに、転炉スラグの事前処理をすることができる処理設備および処理方法を提供することを目的である。
【課題を解決するための手段】
【００１３】
本発明は、上記のような目的を達成するために、以下のような特徴を有している。
［１］  処理対象物を破砕する破砕機と、破砕機によって破砕された処理対象物を風力によって軽量物と重量物に選別する風力選別機と、風力選別機によって選別された重量物を鉄と非鉄に選別する磁気選別機と、処理対象物の乾燥を行う乾燥機を有し、
鉄を含むスクラップから鉄を選別するスクラップ処理と、転炉スラグの破砕および乾燥を行う転炉スラグ処理を切り替えて使用可能なスクラップ及び転炉スラグの処理設備。
［２］  処理対象物を破砕する破砕機と、破砕機によって破砕された処理対象物を風力によって軽量物と重量物に選別する風力選別機と、風力選別機によって選別された重量物を鉄と非鉄に選別する磁気選別機と、処理対象物の乾燥を行う乾燥機を有する処理設備を用いて、
鉄を含むスクラップから鉄を選別するスクラップ処理と、転炉スラグの破砕および乾燥を行う転炉スラグ処理とを切替えて行うスクラップ及び転炉スラグの処理方法。
【発明の効果】
【００１４】
本発明に係るスクラップ及び転炉スラグの処理設備および処理方法によれば、専用のプラントを建設せずに、既存のスクラップ処理設備を利用して、転炉スラグの事前処理（破砕および乾燥）を行うことができる。
【図面の簡単な説明】
【００１５】
【図１】一般的な転炉スラグ処理設備の構成を示す図である。
【図２】一般的なスクラップ処理設備の構成を示す図である。
【図３】本発明の実施の形態に係るスクラップ及び転炉スラグの処理設備の構成を示す図であり、転炉スラグ処理を行う状態を示している。
【図４】本発明の実施の形態に係るスクラップ及び転炉スラグの処理設備の構成を示す図であり、スクラップ処理を行う状態を示している。
【発明を実施するための形態】
【００１６】
以下、添付した図面を参照して、本発明の実施の形態について説明する。
【００１７】
本発明に係るスクラップ及び転炉スラグの処理設備は、既存のスクラップ処理設備に、必要な処理設備を追加して、転炉スラグ処理設備としても利用できるように構成したことを特徴としている。
【００１８】
図２は、一般的なスクラップ処理設備の構成を示す図である。このスクラップ処理設備は、処理対象物１０であるスクラップを、エプロンコンベア１によって破砕機２の上方から投入し、破砕機２によってスクラップを破砕する。図２の例では、破砕機２として横型ハンマーミルが示されている。
【００１９】
破砕機２により破砕されたスクラップは、固定式篩７に投入される。また、破砕機２によって発生した粉塵は、破砕機２の上方より回収され、サイクロン式集塵機５に投入される（Ｔ５）。サイクロン式集塵機５は、投入された粉塵をサイクロン式集塵機５の下方からダスト１１として回収する。また、サイクロン式集塵機５でダスト１１として回収されなかった、ダスト１１よりも微細な粉塵は、湿式集塵機８に送られる（Ｔ８）。
【００２０】
固定式篩７によって篩い落とされた篩い目以下の大きさのスクラップは、ダスト１１として回収される。固定式篩７によって篩い落とされなかった篩い目以上の大きさのスクラップは、風力選別機３に投入される。
【００２１】
風力選別機３では、投入されたスクラップを、風力により軽量物と重量物に選別する。具体的には、軽量物は、風力選別機３の上方に舞い上がって排出される。排出された軽量物は、サイクロン式集塵機６に投入され、サイクロン式集塵機６の下方からダスト１１として回収される。また、サイクロン式集塵機６でダスト１１として回収されなかった、ダスト１１よりも微細な粉塵は、湿式集塵機８に送られる（Ｔ７）。
【００２２】
湿式集塵機８は、サイクロン式集塵機５、６より排出された微細な粉塵を、静電気力を利用して集塵し、集塵後の空気（排気）を風力選別機３に送る（Ｔ６）。
【００２３】
風力選別機３によって選別された重量物は、風力選別機３の下方から落下して回収される。回収された重量物は、磁気選別機４に投入される。磁気選別機４では、鉄１４と非鉄１３に選別されてそれぞれ回収される。
【００２４】
本発明に係るスクラップ及び転炉スラグの処理設備では、上記のような一般的なスクラップ処理設備に、転炉スラグの事前処理に必要最小限の構成を追加することで、転炉スラグの事前処理（破砕および乾燥）を行うことが可能な設備であり、スクラップ処理と転炉スラグ処理とを切替えて行うことができる。
【００２５】
図３は、本発明の実施の形態に係るスクラップ及び転炉スラグの処理設備の構成を示す図である。本発明の実施の形態に係るスクラップ及び転炉スラグの処理設備は、破砕機２、固定式篩７、風力選別機３、磁力選別機４、サイクロン式集塵機５および６、湿式集塵機８、乾燥機３８、エアヒータ３９、バグフィルタ式集塵機３７、貯蔵設備４０とを有している。なお、既存のスクラップ処理設備に追加した構成は、乾燥機３８、バグフィルタ式集塵機３７、エアヒータ３９、貯蔵設備４０である。
【００２６】
破砕機２は、処理対象物を破砕する。風力選別機３は、破砕機２によって破砕された処理対象物を風力によって軽量物と重量物に選別する。磁気選別機４は、風力選別機３によって選別された重量物を鉄と非鉄に選別する。乾燥機３８は、処理対象物の乾燥を行う。図３の例では、破砕機２として横型ハンマーミルが示されているが、破砕機２としては、横型ハンマーミルの他、竪型ローラミルや横型ケージミルを用いることができる。
【００２７】
このように構成されたスクラップ及び転炉スラグの処理設備では、鉄を含むスクラップから鉄を選別するスクラップ処理と、転炉スラグの破砕および乾燥を行う転炉スラグ処理を切り替えて処理することが可能である。
【００２８】
転炉スラグ処理を行っている状態を示す図３と、スクラップ処理を行っている状態を示す図４を用いて、それぞれの処理における処理設備の動作を説明する。
【００２９】
図３に示すように、本発明の実施の形態に係るスクラップ及び転炉スラグの処理設備を用いて転炉スラグ処理を行う場合は、破砕機２、風力選別機３、サイクロン式集塵機５、６、バグフィルタ式集塵機３７、乾燥機３８、エアヒータ３９、貯蔵設備４０を稼動させ、磁気選別機４および湿式集塵機８を非稼動とする。
【００３０】
処理対象物２０は、転炉スラグである。転炉スラグを、エプロンコンベア１によって破砕機２の上方から投入し、破砕機２によって転炉スラグを粉砕する。
【００３１】
破砕機２により粉砕された転炉スラグは、固定式篩７に投入される。また、破砕機２によって発生した粉塵は、破砕機２の上方より回収され、サイクロン式集塵機５に投入される（Ｔ１１）。サイクロン式集塵機５は、投入された粉塵をサイクロン式集塵機５の下方に設置されたコンベア４３を介して、乾燥機３８に投入する。
【００３２】
乾燥機３８は、エアヒータ３９によって昇温された乾燥空気を用いて、転炉スラグを乾燥させ、乾燥後の転炉スラグを貯蔵設備４０に排出する。乾燥機３８からの排気は、バグフィルタ式集塵機３７に送られる（Ｔ１６）。
【００３３】
サイクロン式集塵機５で下方から回収されなかった微細な粉塵は、バグフィルタ式集塵機３７に送られる（Ｔ２０）。
【００３４】
固定式篩７によって篩い落とされた篩い目以下の大きさの転炉スラグは、コンベア４３を介して乾燥機３８に投入される。固定式篩７によって篩い落とされなかった篩い目以上の大きさの転炉スラグは、風力選別機３に投入される。
【００３５】
風力選別機３では、投入された転炉スラグを、風力により軽量物と重量物に選別する。具体的には、軽量物は、風力選別機３の上方に舞い上がって排出される。排出された軽量物は、サイクロン式集塵機６に投入され、サイクロン式集塵機６の下方からコンベア４３を介して、乾燥機３８に投入される。また、サイクロン式集塵機６で下方から回収されなかった微細な粉塵は、サイクロン式集塵機６の上方からバグフィルタ式集塵機３７に送られる（Ｔ２１）。
【００３６】
バグフィルタ式集塵機３７は、サイクロン式集塵機５、６より排出された微細な粉塵を集塵して、貯蔵設備４０に送る。サイクロン式集塵機５、６の上方から排出された軽量物は、乾燥機３８に投入してもよいが、すでに十分に乾燥していると考えられるため、乾燥工程を経ずに貯蔵設備４０に貯蔵することができる。バグフィルタ式集塵機３７から排出される粉塵を集塵後の空気（排気）は、エアヒータ３９に供給されて（Ｔ１５）、乾燥機３８に送られる。
【００３７】
風力選別機３によって選別された重量物は、風力選別機３の下方から落下して回収される。回収された重量物は、磁気選別機４に投入される。この処理設備を転炉スラグ処理設備として使用する際には、上述の通り、磁気選別機４を非稼動にするため、風力選別機３によって選別された重量物は、磁気選別機４によって選別されずに、投入されたものがそのまま回収される。回収された重量物４１は、処理対象物２０の山に戻され（Ｔ１３）、破砕機２によって再び粉砕される。
【００３８】
なお、転炉スラグの事前処理時には、磁気選別機４の稼動させたままとしてもよい。磁気選別機４を稼動したままとすれば、転炉スラグに含まれる鉄成分を回収することができる。
【００３９】
次に、図４に示すように、本発明の実施の形態に係るスクラップ及び転炉スラグの処理設備を用いてスクラップ処理を行う場合は、破砕機２、風力選別機３、サイクロン式集塵機５、６、磁気選別機４および湿式集塵機８を稼動させ、バグフィルタ式集塵機３７、乾燥機３８、エアヒータ３９、貯蔵設備４０を非稼動とする。
【００４０】
処理対象物１０は、鉄を含むスクラップである。スクラップを、エプロンコンベア１によって破砕機２の上方から投入し、破砕機２によってスクラップを粉砕する。
【００４１】
破砕機２により粉砕されたスクラップは、固定式篩７に投入される。また、破砕機２によって発生した粉塵は、破砕機２の上方より排出され、サイクロン式集塵機５に投入される。サイクロン式集塵機５は、投入された粉塵をサイクロン式集塵機５の下方に設置されたコンベア４３を介して、ダストとして回収する。なお、ダストを回収する際には、乾燥機３８および貯蔵設備４０を用いず、図示しないダストの回収設備に回収する。
【００４２】
また、サイクロン式集塵機５で下方から回収されなかった微細な粉塵は、湿式集塵機８に送られる（Ｔ１９）。
【００４３】
固定式篩７によって篩い落とされた篩い目以下の大きさスクラップは、コンベア４３を介して、図示しないダスト回収設備に回収される。固定式篩７によって篩い落とされなかった篩い目以上の大きさのスクラップは、風力選別機３に投入される。
【００４４】
風力選別機３では、投入されたスクラップを、風力により軽量物と重量物に選別する。具体的には、軽量物は、風力選別機３の上方に舞い上がって排出される。排出された軽量物は、サイクロン式集塵機６に投入され、サイクロン式集塵機６の下方からコンベア４３を介して、ダストとして回収される。また、サイクロン式集塵機６で下方から回収されなかった微細な粉塵は、サイクロン式集塵機３６の上方から、湿式集塵機８に送られる（Ｔ１８）。
【００４５】
湿式集塵機８は、サイクロン式集塵機５、６より回収された微細な粉塵を集塵して、粉塵集塵後の空気（排気）を、風力選別機３に供給する（Ｔ１４）。
【００４６】
風力選別機３によって選別された重量物は、風力選別機３の下方から落下し、磁気選別機４に投入される。
【００４７】
磁気選別機４では、風力選別機３によって重量物として選別されたスクラップを、磁力を用いて鉄と非鉄に選別する。そして、選別された鉄と非鉄を図示しない回収設備により回収する。
【００４８】
このように、本発明においては、既存のスクラップ及び転炉スラグのスクラップ処理設備に必要最小限の設備を追加して、転炉スラグ処理設備として利用することで、専用のプラントを建設せずに済み、費用を大幅に削減することができる。
【００４９】
なお、本発明は、上記の実施の形態に限られるものではなく、種々の設計変更を行うことができる。例えば、スクラップ及び転炉スラグの処理設備を転炉スラグ処理設備として使用する場合には、エアヒータ３９によって昇温された乾燥空気を、破砕機２やその他の設備に通気させるように構成してもよい。
【符号の説明】
【００５０】
１、２１  エプロンコンベア
２  破砕機
３  風力選別機
４  磁気選別機
５、６  サイクロン式集塵機
７  固定式篩
８  湿式集塵機
１０、２０、３０  処理対象物
１１  ダスト
１３  非鉄
１４  鉄
２２  破砕乾燥機
２３、３７  バグフィルタ式集塵機
２４、３９  エアヒータ
２５、４０  貯蔵設備
３８  乾燥機
４１  重量物
４３  コンベア
【図１】
2016079417.tif 000003
【図２】
2016079417.tif 000004
【図３】
2016079417.tif 000005
【図４】
2016079417.tif 000006